(57)【要約】【課題】最後の一枚まで香りが付与される衛生薄葉紙ディスペンサーを提供する。【解決手段】  底部１１及びこの周縁から立設する側部１２とで構成される上面開放の箱本体１及びスリット状の取り出し口２１を有しかつ前記箱本体１の開放された上面開放部から箱本体１内に落とし込まれる蓋部材２とからなり、蓋部材２の裏面２Ｂに、芳香剤が封入された多数の粒子径の相違するマイクロカプセル２２，２３を担持させた衛生薄葉紙ディスペンサーＸ１により解決される。【選択図】図２
2010052815.tif 000002
【特許請求の範囲】
【請求項１】
衛生薄葉紙の束が収納される上面開放の箱本体と、スリット状の取り出し口を有し、前記箱本体の開放された上面から箱本体内に落とし込まれる蓋部材と、を備え、
前記蓋部材の裏面に、芳香剤が封入された多数の粒子径の相違するマイクロカプセルが担持されていることを特徴とする衛生薄葉紙ディスペンサー。
【請求項２】
マイクロカプセルの粒子径毎に、封入されている芳香剤の種類が異なっている請求項１記載の衛生薄葉紙ディスペンサー。
【請求項３】
前記スリット状の取出し口を境界として分けられる一方領域と他方領域とで、封入されている芳香剤の種類が相違するマイクロカプセルが担持されている請求項１記載の衛生薄葉紙ディスペンサー。
【発明の詳細な説明】
【技術分野】
【０００１】
本発明は、ティシュペーパー等の衛生薄葉紙を収納して用いる衛生薄葉紙ディスペンサーに関する。
【背景技術】
【０００２】
香り付きティシュペーパーと称される製品はよく知られるところである。
この種の製品では、香料の経時的な放散を防止すべく、香料を封入したマイクロカプセルをティシュペーパーに担持させたり、ティシュカートンの取り出し口を構成するいわゆる窓貼りフィルムに担持させたりしている。すなわち、前者のものは、使用時にティシュペーパーを握ったり清拭操作をしりしたときにマイクロカプセルが潰れて香りが発生するように構成したものであり、後者のものは、取り出しの際に窓貼りフィルムとティシュペーパーが擦れたときに、フィルムに担持されたマイクロカプセルが壊れてティシュペーパーに香料が付着して香りが発生するように構成されたものである。
【特許文献１】特開２００５−５０９０５
【発明の開示】
【発明が解決しようとする課題】
【０００３】
しかし、前者のものは、最後の一枚まで香りが安定して得られるものの、壊れて香料放散機能を発揮するマイクロカプセルが担持されているものの一部でしかなく、その他の多くのマイクロカプセルが機能を発揮しないまま廃棄されるため極めて無駄が多い。
これに対して、後者のものは、このような無駄は少ないものの、使用開始初期には多くマイクロカプセルが崩壊して多くの香料がティシュペーパーに付着して強い香りが得られるが、すぐに窓貼りフィルムに残るマイクロカプセル量が減少するため香り発現の効果が薄れるのが早いという欠点がある。
そこで、本発明の主たる課題は、上記の従来の香り付きティシュペーパーと称される製品における欠点を改善することにあり、特に、内部に収納されたティシュペーパーに対して、最後の一枚にまで効果的に香りを付与することが可能な衛生薄葉紙ディスペンサーを提供することにある。
【課題を解決するための手段】
【０００４】
上記課題を解決した本発明は次記のとおりである。
＜請求項１記載の発明＞
衛生薄葉紙の束が収納される上面開放の箱本体と、スリット状の取り出し口を有し、前記箱本体の開放された上面から箱本体内に落とし込まれる蓋部材と、を備え、
前記蓋部材の裏面に、芳香剤が封入された多数の粒子径の相違するマイクロカプセルが担持されていることを特徴とする衛生薄葉紙ディスペンサー。
【０００５】
（作用効果）
本発明の衛生薄葉紙ディスペンサーは、箱本体の開放された上面から蓋部材が箱本体内に落とし込まれている。このため、箱本体に収納される衛生薄葉紙に対しては、蓋部材の自重に応じた一定の圧が加わる。
そして、本発明では蓋部材の裏面に、芳香剤が封入された多数の粒子径の相違するマイクロカプセルを担持させた。
したがって、蓋部材に形成された取出し口から衛生薄葉紙を取り出す操作をしたとき、衛生薄葉紙には、当該マイクロカプセルは、粒子径の大きいものから順に壊れることになり、一定粒子径しか存在しない場合と比較して、使用初期に極端に香りが強く、その後急速に香りがなくなるということがなく、安定して長期間、香りが衛生薄葉紙に付与することができる。
【０００６】
＜請求項２記載の発明＞
マイクロカプセルの粒子径毎に、封入されている芳香剤の種類が異なっている請求項１記載の衛生薄葉紙ディスペンサー。
【０００７】
（作用効果）
本発明では、粒径の大きなマイクロカプセルが粒径の小さなマイクロカプセルに先立って壊れるため、粒子径毎に封入されている香料が異なっていると、使用開始初期と後期とで、香りが異なるようになる。
【０００８】
＜請求項３記載の発明＞
前記スリット状の取出し口を境界として分けられる一方領域と他方領域とで、封入されている芳香剤の種類が相違するマイクロカプセルが担持されている請求項１記載の衛生薄葉紙ディスペンサー。
【０００９】
（作用効果）
ポップアップ式に折り畳まれた衛生薄葉紙の束を収納したときに、一枚取り出す毎に交互に、香りが異なるようになる。
【発明の効果】
【００１０】
本発明によれば、内部に収納されたティシュペーパーに対して、最後の一枚にまで効果的に香りを付与することが可能な衛生薄葉紙ディスペンサーを提供することにある。
【発明を実施するための最良の形態】
【００１１】
次いで、本発明の実施の形態を図１〜６を参照しながら以下に詳述する。
『ディスペンサーの構造』
本発明の衛生薄葉紙ディスペンサーＸ１は、図１〜３から理解されるように、衛生薄葉紙の束３が収納される上面開放の箱本体１と、この箱本体１の上面開放部から箱本体内に落とし込まれる蓋部材２とで構成されている。
【００１２】
前記箱本体１及び蓋部材２の基素材は特に限定されない。熱可塑性樹脂製、木製、金属製、紙製など、適宜の素材からなるものとすることができる。
【００１３】
箱本体１は、本形態では、好ましく一対の平行な長手縁とこれらよりも短い一対の平行な短手縁で構成される長方形の底部１１及びこの底部１１の各周縁から立設する側部１２からなる直方体型をなしている。なお、箱本体１の形状は必ずしもこの直方体型に限定されず、適宜の形状とすることができる。例えば、上面開放の六角柱形状等、多角柱形状が例示できる。
【００１４】
他方、前記蓋部材２は、箱本体１の底部１１と相似形の長方形の平板形状をなしており、短手方向中央には、長手方向縁に沿う方向に延在して、表裏面に貫通する細長スリット状の衛生薄葉紙３０の取り出し口２１が形成されている。なお、この蓋部材２の形状は、箱本体１の形状に応じて適宜の形状を選択できる。
【００１５】
そして、この蓋部材２の裏面２Ｂには、図２及び３に示すとおり、特徴的に、香料が封入されたマイクロカプセル２２，２３が担持されたマイクロカプセル担持領域Ｚが形成されている。なお、本発明における担持とは、マイクロカプセルが崩壊していない状態で蓋部材２の裏面２Ｂに固定化されていることを意味する。
【００１６】
このマイクロカプセル担持領域Ｚは、内部に収納された衛生薄葉紙の束２に対して面接するように実質的に平坦とされており、蓋部材２の裏面２Ｂの全面積の５０％以上、特に８０％以上であるのがよく、その位置としては少なくとも前記スリット状の取出し口２１の両縁近傍が含まれるように配される。
【００１７】
他方、このマイクロカプセル担持領域Ｚは、例えば、マイクロカプセルとバインダーとを含む塗工液を蓋部材裏面２Ｂに塗布して形成することができる。また、そのほか、マイクロカプセル担持領域は、一方の面にマイクロカプセルとバインダーとを含む塗工液が塗布されたシート材を、蓋部材に裏面に他方の面を介して貼付することで形成することもできる。
【００１８】
塗工液中におけるマイクロカプセルの割合は、適宜定めればよく、本発明において限定されるものではない。例示すれば、バインダー中にマイクロカプセルを１〜２０重量％に分散させた塗工液が例示できる。
【００１９】
他方、前記蓋部材２の自重は、１００〜３５０ｇとするのがよい。適度な重みがあって、取出し口２１から取り出す操作をしたときに、この取出し操作にかかる衛生薄葉紙３０につられて蓋部材が浮あがり難く、しかも蓋部材裏面と取り出しにかかる衛生薄葉紙とが適度に擦れマイクロカプセルが壊れて香りが衛生薄葉紙に付着する。
【００２０】
〔マイクロカプセル〕
他方、本発明においては、特徴的に、前記マイクロカプセル担持領域Ｚにおいては、粒子径の相違する複数種、好ましくは２〜４種のマイクロカプセル２２，２３が担持されている。
【００２１】
本発明においては、マイクロカプセルは粒子径５〜１５０μｍの範囲内から選択され、好ましくは１０〜８０μｍから選択される。
この範囲であると、衛生薄葉紙とすれたときに壊れやすく、また内包される香料の量が適当となる。
【００２２】
なお、一般にマイクロカプセルは粒度分布がシャープであるが、粒子径にばらつきがないわけではない。本発明における粒子径の相違とは、このようなばらつきによる粒子径の相違は意味しない。したがって、本発明におけるマイクロカプセル担持領域に含まれるマイクロカプセル群は、レーザ回折・散乱法による粒度分布において２以上のピークが認められる。従って、このような２以上のピークが認められる場合には、本発明における粒子径の相違するマイクロカプセルが担持されているとする。なお、レーザ回折・散乱法による粒度分布の測定は、既知のマイクロトラック粒度分布測定装置により測定可能である。
【００２３】
従って、本発明のより好ましいマイクロカプセル担持領域におけるマイクロカプセルの担持態様としては、レーザ回折・散乱法による粒度分布において粒子径１０〜１２０μｍの範囲内にピーク値が１０〜１４０μｍ間隔、特に３０〜７０μｍ間隔で複数現れるような担持態様である。
【００２４】
なお、本発明におけるマイクロカプセル２２，２３は既知のものが利用できる。マイクロカプセルの製法は特に限定されるものではない。例えば、コアセルベーション法、界面重合法、界面沈殿法、液中乾燥法、融解分散冷却法、in situ 重合法などのマイクロカプセル化法を用いることができる。
【００２５】
マイクロカプセル２２，２３の膜剤としては、メラミン樹脂、ウレタン樹脂、尿素樹脂、ゼラチン、寒天、各種天然ゲル化剤、グリセリン、アラビアゴム、ポリビニルアルコール、カルボキシメチルセルロース、ポリ塩化ビニル，ポリ塩化ビニリデン，ポリ酢酸ビニル，ポリスチレン，ポリアクリル酸エステル，エチルセルロース，酢酸セルロース，マレイン酸樹脂，シリコーン樹脂、ゼラチン，デンプン，メチルセルロース，ポリアクリル酸ナトリウム，ヒドロキシエチルセルロース，メチルセルロースなどが例示できる。
【００２６】
マイクロカプセルの膜厚は、特に限定はされないが、衛生薄葉紙と擦れたときに容易に崩壊する程度が望ましく、具体的には０．０５〜３．０μｍが望ましい。
【００２７】
〔香料〕
他方、本発明においては、マイクロカプセルに封入される香料は特に限定されない。天然系あるいは合成系を問わず使用可能である。具体例としては、レモン油、オレンジ油、グレープフルーツ油、ベルガモット油、パチョリ油、ローズマリー油、クローブ油、ネロリ油、プチグレン油、ペパーミント油、マンダリン油、ライム油、ユズ油、ゼラニウム油、カモミール油、ラベンダー油、ローズ油、スペアミント油等の天然香料類；リナロール、シトロネロール、メントール、ゲラニオール、ペリラアルコール、ベンジルアルコール、フェニルエチルアルコール、シンナミルアルコール、シス−３−ヘキセノール、１−オクテン−３−オール、ペンタノール、ヘキサノール、ターピネオール、ファルネソール等のアルコール類；ヘキシルシンナミックアルデヒド、オクタナール、デカナール、シトロネラール、ペリラアルデヒド、シトラール、ヒドロキシシトロネラール、ベンズアルデヒド、２，６−ノナジエナール、２，４−デカジエナール、２−トランス−ヘキセナール、５−メチルフルフラール、バニリン、アニスアルデヒド、シンナミックアルデヒド等のアルデヒド類；カルボン、メントン、イオノン、メチルヘプテノン、２−ヘプタノン、２−ノナノン等のケトン類；プロピオン酸、デカン酸、ミリスチン酸、パルミチン酸、オレイン酸、リノール酸、ゲラン酸、シンナミック酸等のカルボン酸類；メチルジヒドロジャスモネート、フェニルエチル アセテート、メチル サリシレート、エチル ヘキサノエート、メチル シンナメート、Ｙ−ウンデカラクトン、メンチル アセテート、シンナミル アセテート、ターピニル アセテート等のエステル類；アニソール、ローズオキシド、リナロールオキシド等のエーテル類；フランチオール、２−メチル−３−フランチオール、３，４，５，６−テトラハイドロ−２，４，６−トリメチル−２Ｈ−１，３，５−チアジアジン、５，６−ジハイドロ−２，４，６−トリメチル−４Ｈ−１，３，５−ジチアジン、６−アセチル−１，１，３，４，４，６−ヘキサメチル−テトラヒドロナフタレン、５−アセチル−１，１，２，３，３，６−ヘキサメチルインダン等のその他の合成香料などが挙げられる。これらは単独で用いても、複数を組み合わせて調合香料として用いてもよい。香料の選択は、所望の香調によって決定すればよい。
【００２８】
〔バインダー〕
バインダーは、特に限定されない。既知の接着剤が例示できる。例えば、でんぷん、ＰＶＡ、ウレタン樹脂、アクリル樹脂が例示できる。
【００２９】
〔衛生薄葉紙の束〕
本発明の衛生薄葉紙の束３は、ティシュペーパー、キッチンペーパー、拭き取り用途のワイプ等の衛生薄葉紙が折り畳まれ積層されてなるものである。
より好適には、図４に示されるように、方形の薄葉紙３０，３０…が実質的に二つ折りされ、その折り返し片の縁３０Ｅが上下に隣接する衛生薄葉紙の折り返し内面に位置するようにして、互い違いに重なり合いつつ積層されているものである。なお、ここで実質的にとは、製造上の形成される縁部の若干の折り返しを許容する意味である。
【００３０】
本積層構造の衛生薄葉紙の束３は、最上位に位置する一枚の衛生薄葉紙３０折り返し片を上方に引き上げると、その直下で隣接する他の一枚の折り返し片が上方に引きずられて持ち上げられる。
【００３１】
従って、かかる構造の衛生薄葉紙の束３を、その最上面が後述する上面に取出口等を有する包装体の当該上面に向かい合うように収納すると、前記取出口から最初の一枚（最上面に位置する一枚）が引き出されたときに、図５に示されるように、その下方に位置する他の一枚の一部が露出されるようになる。
【００３２】
〔その他の形態〕
他方、本発明の他の形態としては、図６に蓋部材の裏面を示すように、スリット状の取出し口２１を境界として分けられる一方領域Ｚ１と他方領域Ｚ２とで、封入されている芳香剤の香りの種類が相違するマイクロカプセルが担持されている形態を挙げることができる。
【００３３】
この形態では、例えば、上述のポップアップ式の衛生薄葉紙束３を収納して、取出し口２１から一枚一枚取り出していく操作をした場合には、最初の一枚が一方領域Ｚ１に対して擦れて取り出されると、次の一枚は他方領域Ｚ２と擦れて取り出されることになるため、かかる衛生薄葉紙束３を収納した場合、交互に異なる香りの衛生薄葉紙が取り出されることになる。
【００３４】
＜試験例＞
次いで、本発明の衛生薄葉紙ディスペンサーに関して、衛生薄葉紙への香りの付着性等について試験１〜７を行なったのでその結果を以下に示す。
〔共通事項〕
試験１〜７はすべて、被験者１０名による官能試験とした。試験方法は、指定した組数をディスペンサーから取り出し、その指定枚数時に取り出されたティシュペーパーの香りを直ちに嗅ぎ、以下の評価基準にしたがって１〜５点の点数付けすることで行ない、結果は、被験者１０名の平均点で示すこととした。
評価：１点：香りを感じないか，ほとんど感じない。
２点：香りを感じるが弱い。
３点：普通に香りを感じる。
４点：香りが十分に感じられる。
５点：香りが強く感じられる。
また、用いた、ディスペンサーの形状は、図１に示される、底面長方形の上面開放のものとした。
【００３５】
ディスペンサー内に収納した衛生薄葉紙束は、上記説明の図４にも示される所謂ポップアップ式に折り畳まれたものであり、一枚当たり２プライ（１プライ当たりの坪量１５ｇ／ｍ2）構成の一般的にカートン箱に収められて市販されているものと同等品を用いた。
【００３６】
ディスペンサーは、取り出し口が上方に向かうようにして、水平台上に載置して使用することとし、被験者によるティシュペーパーの取り出しは、可能な限り、垂直方向に取り出すようにした。
なお、複数枚取り出したときに、先に取り出したティシュペーパーの香りと混同しないようにすべく、試験は、外気が流通するように開放された室内において行なった。
【００３７】
〔試験１〕
蓋部材の裏面の面積に対するマイクロカプセル担持領域の割合と、衛生薄葉紙に対する香りの付着性について試験し、評価した。
蓋部材の裏面に対するマイクロカプセル担持領域の割合と官能評価の結果との関係は、下記表１の通りとなった。
なお、マイクロカプセルは粒子径３０μｍとして市販されているものを用い、衛生薄葉紙束は２００枚のものを使用した。評価は、２０枚目を取り出したときの香りの感じ方で評価した。
【００３８】
【表１】
2010052815.tif 000003
【００３９】
表１から、マイクロカプセル担持領域は、蓋部材裏面の５０％以上、特に８０％以上であると、香料が衛生薄葉紙に十分に付着して、十分に香る衛生薄葉紙として取り出される傾向にあることが確認された。
なお、本試験では、粒子径３０μｍの一種類のマイクロカプセルの用いた試験であり、本発明の実施例ではない。
【００４０】
〔試験２〕
蓋部材の重量と、衛生薄葉紙に対する香りの付着性について試験紙、評価した。蓋部材の重量と官能評価の結果との関係は、下記表２のとおりとなった。
なお、試験１と同様に、マイクロカプセルは粒子径３０μｍとして市販されているものを用い、衛生薄葉紙束は２００枚のものを使用した。評価は、２０枚目を取り出したときの香りの感じ方で評価した。
【００４１】
【表２】
2010052815.tif 000004
【００４２】
表２から、蓋部材の重量は、１００ｇ以上であれば香りが衛生薄葉紙に十分に付着し、４００ｇを超えると蓋部の自重により引出し時にティシュペーパーが破れるおそれがあることが知見できる。従って、蓋部材の重量は、特に１５０〜３５０ｇであるのが望ましいといえる。なお、本試験では、粒子径３０μｍの一種類のマイクロカプセルの用いた試験であり、本発明の実施例ではない。
【００４３】
〔試験３〕
次いで、蓋部材の重量と、衛生薄葉紙に対する香りの付着性について、特にどの程度まで継続的に衛生薄葉紙に香りが付着するかという点から試験し、評価した。この試験の結果は、下記表３のとおりとなった。
なお、マイクロカプセルは粒子径３０μｍとして市販されているものを用い、衛生薄葉紙束は２００枚のものを使用した。評価は、１８０枚目を取り出したときの香りの感じ方で評価した。
【００４４】
【表３】
2010052815.tif 000005
【００４５】
表３より、蓋部材の重量が５０ｇと軽い場合には、カプセルの崩壊が生じがたく、使用後期になっても香りが発現していないため低い評価になっていると考えられる。また、重量が４００ｇと重い場合には、使用枚数が少ない初期にマイクロカプセルが崩壊してしまい、使用後期まで香りの付着性が維持できないため低い評価となっていると考えられる。このことから、蓋部材に関しては、１００〜３５０ｇ程度とするのが望ましいと考えられる。
【００４６】
ただし、この蓋部材の範囲であっても、使用後期の評価が高くはない。すなわち、単一の成分の場合には、維持性に限界があると考えられる。なお、本試験は、マイクロカプセルの粒子径は単一の３０μｍの場合の持続性について検討した結果である、本発明の実施例ではない。
【００４７】
〔試験４〕
次いで、マイクロカプセルの粒子径と、衛生薄葉紙に対する香りの付着性について試験し、評価した。マイクロカプセルの粒子径と官能評価の結果との関係は、下記表４のとおりとなった。
なお、ディスペンサーの蓋部材の重量は２００ｇとし、衛生薄葉紙束は２００枚のものを使用した。評価は、２０枚目を取り出したときの香りの感じ方で評価した。
【００４８】
【表４】
2010052815.tif 000006
【００４９】
表４から、マイクロカプセルの粒子径が、１０μｍ未満であると香りが弱く、１０μｍ以上になると香りが感じられるようになり、特に３０μｍ以上になると香りがよりいっそう感じられるようになることが読み取れる。
なお、本試験は、マイクロカプセルの粒子径は単一のものを使用しており、本試験は本発明の実施例ではない。
【００５０】
〔試験５〕
次いで、マイクロカプセルの粒子径と衛生薄葉紙に対する香りの付着性について、特にどの程度まで継続的に衛生薄葉紙に香りが付着するかという点から試験し、評価した。この試験の結果は、下記表５のとおりとなった。
なお、蓋部材の重量は２００ｇとし、衛生薄葉紙束は２００枚のものを使用した。評価は、１８０枚目を取り出したときの香りの感じ方で評価した。
【００５１】
【表５】
2010052815.tif 000007
【００５２】
表５より、マイクロカプセルの粒子径が１０μｍと小さい場合には、カプセルの崩壊が生じがたく、使用後期になっても香りが発現していないため低い評価になっていると考えられる。また、マイクロカプセルの粒子径が１００μｍを超えると、使用枚数が少ない初期にマイクロカプセルが崩壊してしまい、使用後期まで香りの付着性が維持できないため低い評価となっていると考えられる。このことから、マイクロカプセルの粒子径については、１０〜１００μｍの範囲、特に１０〜８０μｍから選択するのが望ましいと考えられる。
なお、本試験は、マイクロカプセルの粒子径は単一の場合の持続性について検討した結果であり、本発明の実施例ではない。
【００５３】
〔試験６〕
次いで、複数の粒子径のマイクロカプセルの用いた場合に、その粒子径差と、衛生薄葉紙に対する香りの付着性について試験し、評価した。マイクロカプセルの粒子径と官能評価の結果との関係は、下記表６のとおりとなった。
なお、ディスペンサーの蓋部材の重量は２００ｇとし、衛生薄葉紙束は２００枚のものを使用した。評価は、２０枚目を取り出したときの香りの感じ方で評価した。また、マイクロカプセルは１０μｍのもと表４に示す粒径差のもととの組み合わせとした。
【００５４】
【表６】
2010052815.tif 000008
【００５５】
表６から、マイクロカプセルの粒子径がない１０〜１４０μｍのものすべてについて、香りが強く又は十分に感じられる結果となった。
【００５６】
〔試験７〕
次いで、マイクロカプセルの粒子径差と衛生薄葉紙に対する香りの付着性について、特にどの程度まで継続的に衛生薄葉紙に香りが付着するかという点から試験し、評価した。この試験の結果は、下記表７のとおりとなった。
なお、蓋部材の重量は２００ｇとし、衛生薄葉紙束は２００枚のものを使用した。評価は、１８０枚目を取り出したときの香りの感じ方で評価した。
また、マイクロカプセルは１０μｍのもと表７に示す粒径差のもととの組み合わせとした。
【００５７】
【表７】
2010052815.tif 000009
【００５８】
表７からマイクロカプセルの粒子径差をつけることで１０〜１４０μｍの差では効果が認められる。特に、３０〜７０μｍの粒子径差とすると継続性の点で優れることが推認できる結果となった。
【００５９】
〔総括〕
以上の各試験より、本発明の衛生薄葉紙ディスペンサーは、蓋部材裏面の面積の８０％以上をマイクロカプセル担持領域とするのが望ましく、また、蓋部材の重量は１００〜３００ ｇであるのが望ましく、マイクロカプセルの粒子径は、１０〜８０μｍの範囲から選択するのが望ましく、マイクロカプセルの粒子径差は３０〜７０μｍの差とするのが望ましいといえる。
【産業上の利用可能性】
【００６０】
本願発明は、ティシュペーパー、キッチンペーパー等の薄葉紙を収納して用いる衛生薄葉紙ディスペンサーに利用可能である。
【図面の簡単な説明】
【００６１】
【図１】本発明の衛生薄葉紙ディスペンサーの斜視図である。
【図２】図１のＩＩ−ＩＩ断面図である。
【図３】本発明にかかる蓋部材の裏面図である。
【図４】衛生薄葉紙束の説明図である。
【図５】本発明の衛生薄葉紙ディスペンサーの使用状態を示す斜視図である。
【図６】本発明にかかる蓋部材の他の例の裏面図である。
【符号の説明】
【００６２】
Ｘ１…衛生薄葉紙ディスペンサー、１…箱本体、２…蓋部材、２Ｂ…蓋部材裏面、Ｚ…マイクロカプセル担持領域、３…衛生薄葉紙束、１１…底部、１２…側部、２１…スリット状の取出し口、２２，２３…マイクロカプセル、２５…バインダー、３０…衛生薄葉紙、３０Ｅ…衛生薄葉紙の折り返し片の縁。
【図１】
2010052815.tif 000010
【図２】
2010052815.tif 000011
【図３】
2010052815.tif 000012
【図４】
2010052815.tif 000013
【図５】
2010052815.tif 000014
【図６】
2010052815.tif 000015